(57)【要約】  底面に形成されたピストン挿入部の周縁に複数の空気排出孔が形成され、内容物が収容された容器本体に嵌合されるハウジングと、下部が開放された形状に設けられ、前記ハウジングの上側開口部に挿入される押さえ部と、前記押さえ部の底面から延びて前記ピストン挿入部に挿入された後に前記ハウジングの底面に係止される連結杆と、前記押さえ部と前記連結杆に貫設されて空気が通過する空気通過孔と、を有するピストンと、前記ハウジングの内部に設けられて前記ピストンを上側に弾持するバネと、を備えることを特徴とする空気ポンプ式排出装置が開示される。本発明によれば、容器本体から容易に分離可能であることから作業性が向上されて資源活用度が高いだけではなく、消費者の経済的な負担を軽減することができ、バネが内設されるような構造であることからバネを紛失する恐れがない。  また、本発明は、前記空気ポンプ式排出装置が装備されて歯磨きなどの内容物が排出装置により排出可能な生活用品用容器を提供する。
2010528949.tif 000002
【特許請求の範囲】
【請求項１】
底面に形成されたピストン挿入部の周縁に複数の空気排出孔が形成され、内容物が収容された容器本体に嵌合されるハウジングと、
下部が開放された形状に設けられ、前記ハウジングの上側開口部に挿入される押さえ部と、前記押さえ部の底面から延びて前記ピストン挿入部に挿入された後に前記ハウジングの底面に係止される連結杆と、前記押さえ部と前記連結杆に貫設されて空気が通過する空気通過孔と、を有するピストンと、
前記ハウジングの内部に設けられて前記ピストンを上側に弾持するバネと、
を備えることを特徴とする空気ポンプ式排出装置。
【請求項２】
前記容器本体と接触される前記ハウジングの周縁には、前記容器本体と前記ハウジングを気密するための第１シール部材が取設される第１シール取付溝が凹設されたことを特徴とする請求項１に記載の空気ポンプ式排出装置。
【請求項３】
前記ハウジングと接触される前記押さえ部の周縁には、前記ハウジングと前記押さえ部を気密するための第２シール部材が取設される第２シール取付溝が凹設されたことを特徴とする請求項１に記載の空気ポンプ式排出装置。
【請求項４】
前記空気通過孔の直径は、概ね０．３ｍｍ〜０．７ｍｍであることを特徴とする請求項１に記載の空気ポンプ式排出装置。
【請求項５】
一方の端部に排出部が形成され、内容物が貯蔵される容器本体と、
前記容器本体に設けられて内容物が漏れることを防止し、圧力により前記容器本体の内側面に沿って摺動自在に配設される容器パッドと、
前記排出部を開閉する栓体と、
前記容器本体と分離自在に前記容器パッドの上側に挿入されて内容物を排出するための請求項１から請求項４のいずれかに記載の空気ポンプ式排出装置と、
を備えることを特徴とする生活用品用容器。
【請求項６】
前記栓体には、前記栓体が据置台から離脱されることを防止する抜け止め爪が形成されたことを特徴とする請求項５に記載の生活用品用容器。
【発明の詳細な説明】
【技術分野】
【０００１】
本発明は空気ポンプ式排出装置とこれを備える生活用品用容器に係り、さらに詳しくは、歯磨きなどの内容物を空気圧を用いて排出することのできる空気ポンプ式排出装置とこれを備える生活用品用容器に関する。
【背景技術】
【０００２】
一般的に、家庭で広く使用されている歯磨きは、軟質のチューブ状容器に入れられており、この種の歯磨きを使用するためには容器を押さなければならないため、押圧位置に応じてチューブがしわになったり、内容物が完全に排出し切れずチューブの内壁面に残留したりしていた。
【０００３】
そこで、大韓民国登録実用新案第０２６１３５６号公報に開示された従来のピストン方式の空気密閉用保管容器は、管体により内周縁の上端部に結合されて上側圧力により密閉されて下降する押し棒を有するシリンダーと、管体によりシリンダーの下端に密閉結合されて中心に通孔が形成され、下端部に通孔よりも大径の作動孔が形成された作動下板と、多数の吸入通孔を有し、シリンダーの上端に結合される支持上板と、中心に排出孔を有し、作動下板の作動孔の下端に密閉結合される排出栓体と、作動下板と排出栓体との間に配設されてシリンダー内側の押し棒の上部に圧力が加えられると排出栓体の排出孔を開放させ、シリンダー内側の押し棒の上部に加えられた圧力が消えると排出栓体の排出孔を閉塞するチェック弁と、シリンダーの押し棒の上部に位置して圧力により押し棒を下降させるピストンと、から構成されている。
【０００４】
このとき、ピストンは、中心に加圧斜面を有する結合孔が形成されて押し棒の上側においてシリンダーの内周縁に密閉結合される円筒状の加圧板と、下端は加圧板の係合孔に係合される係合突起を有し、下端部は加圧斜面に接触される加圧部を有し、胴体の途中に係止爪を有し、上端に押さえ板部を有する加圧バーと、多数の通孔を有し、加圧バーの胴体に嵌合されて下側において係止爪に係止される復元板と、一方の端がシリンダーの上部一側に結合され、他方の端は復元板を上向きに弾発させる弾発バネと、から構成されている。
【０００５】
このような構成により、使用者がピストンの加圧バーを押すと、空気圧により押し棒が下側方向に押されながら圧力が発生することになり、チェック弁はこの圧力により排出栓体の排出孔を開放させて内容物が排出孔を介して保管容器の外部に排出されることになる。
【０００６】
ところが、この種の従来のピストン方式の空気密閉用保管容器においては、ピストンがシリンダーとは別途の部品から構成されていないため、ピストンを分離して他のシリンダーに活用することが極めて困難であり、ピストン未装着の他のシリンダーに前記ピストンを装着するためには極めて煩雑なピストン分解及び組立て作業を経ることを余儀なくされるという問題点があった。
【０００７】
すなわち、ピストンを他のシリンダーに活用するために既存に使用していたシリンダーから分離するためには、先ず、支持上板をシリンダーから分離し、復元板および加圧板が一体に結合された加圧バーを持ち上げた後、シリンダーの上部一側に結合された弾発バネを分離する過程を経なければならない。
【０００８】
このため、ピストンをシリンダーから分離する作業が複雑であるだけではなく、ピストンを構成する加圧バー及び弾発バネが分離されているためシリンダーから分離後に前記弾発バネが紛失される恐れもあった。
【０００９】
一方、ピストンをシリンダーから分離することが容易ではないため、ほとんどの使用者はピストンを他のシリンダーに効率よく活用することができない。この理由から、資源活用の面で非効率的であるだけではなく、内容物を充填しない場合に容器を捨ててからピストン付き容器を再購買することになるため経済的な負担が大きいという問題点があった。
【００１０】
なお、ピストンが支持上板、復元板、加圧板、バネなどの多数の部品からなるため構造が複雑であるだけではなく、これによる製造上の不都合に起因して製造コストが上がるという問題点があった。
【発明の概要】
【発明が解決しようとする課題】
【００１１】
そこで、本発明の目的は、容器本体から容易に分離可能であることから作業性が向上されて資源活用度が高いだけではなく、消費者の経済的な負担を軽減することができ、バネが内設されるような構造であるためバネを紛失する恐れがなく、しかも、簡単な構造を有する空気ポンプ式排出装置及びこれを備える生活用品用容器を提供するところにある。
【課題を解決するための手段】
【００１２】
上記の目的を達成するために、本発明は、底面に形成されたピストン挿入部の周縁に複数の空気排出孔が形成され、内容物が収容された容器本体に嵌合されるハウジングと、下部が開放された形状に設けられ、前記ハウジングの上側開口部に挿入される押さえ部と、前記押さえ部の底面から延びて前記ピストン挿入部に挿入された後に前記ハウジングの底面に係止される連結杆と、前記押さえ部と前記連結杆に貫設されて空気が通過する空気通過孔と、からなるピストンと、前記ハウジングの内部に設けられて前記ピストンを上側に弾持するバネと、を備えることを特徴とする空気ポンプ式排出装置を提供する。
【００１３】
ここで、前記容器本体と接触される前記ハウジングの周縁には、前記容器本体と前記ハウジングを気密するための第１シール部材が取設される第１シール取付溝が凹設されたことが好ましい。
【００１４】
また、前記ハウジングと接触される前記押さえ部の周縁には、前記ハウジングと前記押さえ部を気密するための第２シール部材が取設される第２シール取付溝が凹設されたことが好ましい。
【００１５】
前記空気通過孔の直径は、概ね０．３ｍｍ〜０．７ｍｍであることが好ましい。さらに、上記の目的を達成するために、本発明は、一方の端部に排出部が形成され、内容物が貯蔵される容器本体と、前記容器本体に設けられて内容物が漏れることを防止し、圧力により前記容器本体の内側面に沿って摺動自在に配設される容器パッドと、前記排出部を開閉する栓体と、前記容器本体と分離自在に前記容器パッドの上側に挿入されて内容物を排出するための前記空気ポンプ式排出装置と、を備えることを特徴とする生活用品用容器を提供する。
【００１６】
ここで、前記栓体には、前記栓体が据置台から離脱されることを防止する抜け止め爪が形成されたことが好ましい。
【発明の効果】
【００１７】
本発明によれば、容器本体から容易に分離可能であることから作業性が向上されて資源活用度が高いだけではなく、消費者の経済的負担を軽減することができ、バネが内設されるような構造であることからバネを紛失する恐れがない空気ポンプ式排出装置及びこれを備える生活用品用容器を提供することが可能になる。
【図面の簡単な説明】
【００１８】
【図１Ａ】本発明に係る空気ポンプ式排出装置が装備された生活用品用容器の斜視図である。
【図１Ｂ】図１Ａの分離斜視図である。
【図２】図１Ｂの空気ポンプ式排出装置を示す分離斜視図であり、
【図３Ａ】図１Ａの押さえ部が押圧されていない状態を示す断面図であり、
【図３Ｂ】使用者が図３Ａの状態で押さえ部を押圧した状態を示す断面図である。
【発明を実施するための形態】
【００１９】
以下、添付図面に基づき、本発明を詳述する。
【００２０】
本発明のいくつかの実施形態による空気ポンプ式排出装置は、本願出願人により先出願された大韓民国実用新案出願第２００７−１４７１２号公報の歯磨き容器に最適な装置であるが、これに限定されるものではなく、これと類似するシリンダータイプの容器にいずれも装着して使用可能である。
【００２１】
図１Ａは、本発明に係る空気ポンプ式排出装置が装備された生活用品用容器の斜視図であり、図１Ｂは、図１Ａの分離斜視図である。同図に示すように、生活用品用容器１は、歯磨きやシャンプーまたはリンスなどの内容物Ｔ（以下、「歯磨き」と称する。）が貯蔵され、下端部に排出部１０ａが形成された容器本体１０と、圧力により摺動自在に容器本体１０に内設される容器パッド２０と、排出部１０ａを開閉する栓体３０と、容器パッド２０の上側に挿入されて容器本体１０の歯磨きＴを排出するための空気ポンプ式排出装置５０と、を備えてなる。
【００２２】
容器本体１０は歯磨きＴを貯蔵するためのものであり、円筒状に形成される。容器本体１０の下端部には歯磨きＴが排出されるための排出部１０ａが設けられている。
【００２３】
容器パッド２０は、空気ポンプ式排出装置５０の作動により容器本体１０の内側面に沿って摺動して歯磨きＴを排出部１０ａに向かって加圧する機能をする。このとき、容器パッド２０はゴム材質から製作されて容器本体１０と気密されることにより、歯磨きＴが外部に漏れることを防止することができる。一方、容器パッド２０は、容器本体１０の下端部Ｂの形状と同じ形状に形成されて、空気ポンプ式排出装置５０の作動により容器パッド２０が容器本体１０の下端部Ｂまで加圧されるときに容器本体１０内の歯磨きＴが満遍なく排出可能である。
【００２４】
栓体３０は排出部１０ａを開閉する機能をするが、栓体３０の下端部には抜け止め爪３３が形成されていることが好ましい。これは、この種の生活用品用容器１は据置台に据え付けされて保管される場合が多いが、使用者が歯磨きＴを使用するために容器本体１０を持ち上げるとき、栓体３０が抜け止め爪３３により据置台に残るようにするためである。これにより、使用者は栓体３０を開く段階を省略した後、直ちに空気ポンプ式排出装置５０を押して歯磨きＴを歯ブラシにつけて歯を磨くことができるため使用が簡単であるというメリットがある。
【００２５】
空気ポンプ式排出装置５０は、図２に示すように、上側開口部６２が形成されたハウジング６０と、ハウジング６０の上側開口部６２を介して挿入されてハウジング６０の内側面に沿って上下動するピストン７０と、ハウジング６０に内設されてピストン７０を上側に弾持するバネ８０と、を備えてなる。
【００２６】
すなわち、本発明に係る排出装置５０は、容器本体１０と容易に分離可能な構造を有することにより、別途に分離して他の容器本体に結合して使用することができる。このため、使用者は歯磨きを使用し切った後、排出装置５０だけを容器本体１０から分離して他の容器本体に嵌め込んで使用することができることから、資源活用面で効率的であるだけではなく、容器本体１０だけを購入しても済むことから、消費者にとっては経済的である。また、本発明の排出装置５０はバネ８０が内設されたような構造を有することから、バネが加圧バーとは別設されている従来のものとは異なり、バネが紛失される恐れがないだけではなく、携帯が簡単であるというメリットがある。
【００２７】
一方、従来の空気密閉用保管容器の場合には、ピストンが作動されるために支持上板、復元板をさらに備えなければならない構造であるため構造が複雑化し、この複雑な構造により製造上の不都合を招き、これにより製造コストが上がっていたのに対し、本発明に係る排出装置５０は、ハウジング６０、ピストン７０、バネ８０だけを備えているため構造が簡単であり、金型費などを含む製造コストが節減される効果を期待することができる。
【００２８】
ハウジング６０の下端部は容器本体１０の上端部Ａに嵌合されるが、このとき、ハウジング６０の下端部の周縁には第１シール部材８１が取設される第１シール取付溝６１が凹設されている。このとき、容器本体１０の上端部Ａの内側面には第１シール部材８１が載置されるように載置溝１０ｂ（図１Ｂ参照）が形成される必要があることは言うまでもない。このため、ハウジング６０と容器本体１０の内側面が気密されることにより、容器パッド２０と空気ポンプ式排出装置５０との間に形成されたＱ空間（図３Ａ参照）の空気が外部に抜け出ることを防止することができる。その結果、空気圧の損失がないため使用者が加圧した分の圧力が容器パッド２０に加えられて一定量の歯磨きＴが排出可能である。
【００２９】
ここで、ハウジング６０の中央部の周縁には挿入調節爪６５が突設されている。このため、ハウジング６０の下端部が容器本体１０の上端部Ａに嵌め込まれるとき、挿入調節爪６５により挿入位置が決定可能である。
【００３０】
ハウジング６０の底面中央には後述するピストン７０の連結杆７５が挿入されるピストン挿入部６４が設けられており、ピストン挿入部６４の周縁には複数の空気排出孔６３（図３Ａ参照）が貫設されている。
【００３１】
ピストン７０はプラスチック材質から製造され、下部が開放された形状に設けられてハウジング６０の上側開口部６２に挿入される押さえ部７１と、押さえ部７１の底面から延びてピストン挿入部６４に挿入された後、ハウジング６０の底面に係止される連結杆７５と、から構成される。
【００３２】
押さえ部７１は、使用者が容器本体１０に貯蔵された歯磨きＴを排出するために加圧するためのものであり、指で押し易いように中央部が適当に凹んでいることが好ましい。また、ハウジング６０と接触される押さえ部７１の周縁には第２シール部材８２が取設される第２シール取付溝７２が凹設されている。このため、ハウジング６０の内側面がピストン７０と気密されることにより、ハウジング６０と空気ポンプ式排出装置５０との間に形成されたＰ空間（図３Ａ参照）の空気が外部に抜け出ることが防止可能である。その結果、空気圧の損失がないため、使用者が加圧した分の空気がＰ空間からＱ空間に移動されて容器パッド２０を加圧するため、当該体積に見合う分の一定量の歯磨きＴが排出可能である。
【００３３】
ピストン７０の連結杆７５は、押さえ部７１の底面から下向きに延びる連結杆胴体７６と、連結杆胴体７６の下端部に形成された掛止フック７７と、から構成される。
【００３４】
ここで、押さえ部７１と連結杆７５には空気が通過する空気通過孔７９（図３Ａ参照）が形成されている。すなわち、空気通過孔７９は、外部空気が容器本体１０のＱ空間に流入するための通路であるだけではなく、使用者が歯磨きＴを使用するためにピストン７０を押した後に手を離した場合、瞬間的にＱ空間の圧力が増加された少量の空気が空気通過孔７９を介して外部に抜け出ることにより、排出部１０ａに負圧が作用して不要な歯磨きＴが排出されることを防止することができる。この実施形態において、空気通過孔７９の適正直径は、使用者がピストン７０を押すときにＱ空間の空気が外部に抜け出ることを防止し、使用者がピストン７０を押した後に手を離したときに外部空気がＱ空間に適切に流入するためには概ね０．３ｍｍ〜０．７ｍｍであることが好ましい。空気通過孔７９の直径はこれに限定されるものではなく、容器本体１０の仕様（例えば、容器本体１０の体積）に応じて試験的に決定可能であることは言うまでもない。このように、本発明によれば、空気通過孔４９の直径を適切に選択することにより、従来のチェック弁などの構成を削除しても、ピストン７０の加圧後に不要な歯磨きＴが外部に排出されることを防止すると共に、製造コストを削減するという効果が得られる。
【００３５】
掛止フック７７はピストン挿入部６４の直径よりもやや大きく設けられて、連結杆胴体７６がピストン挿入部６４に挿入された後、ハウジング６０から抜け出ないようにハウジング６０の底面に係止される。ここで、掛止フック７７は連結杆胴体７６の下端の円周方向に沿って突設されているが、所定のテンションを有するプラスチック材質から製造されることにより、ピストン挿入部６４を通過するときにやや収縮された後、ピストン挿入部６４を完全に通過すれば復元されてハウジング６０の底面に係止されるのである。
【００３６】
このような構成により、本発明に係る生活用品用容器１の歯磨きＴが排出される原理を図３Ａ及び図３Ｂに基づいて簡単に説明すれば、下記の通りである。
【００３７】
先ず、容器本体１０に空気ポンプ式排出装置５０を組み付けるために、ハウジング６０の下端部を容器本体１０の上端部Ａに嵌め込む。これにより、ハウジング６０に嵌合された第１シール部材８１が容器本体１０の内側面に形成された載置溝１０ｂに嵌め込まれてハウジング６０と容器本体１０が気密可能である。
【００３８】
次に、使用者は、歯磨きＴを使用するために、排出部１０ａから栓体３０を外した後、空気通過孔７９を閉塞したままで押さえ部７１をＦ方向に押す。すると、図３Ｂに示すように、ピストン７０がハウジング６０の内側面に沿って下方に摺動されて空気排出孔６３が開放された状態となる。これにより、Ｐ空間の空気が圧縮されながら空気排出孔６３を介してＱ空間に排出されて容器パッド２０を加圧することになり、これにより、容器パッド２０が容器本体１０の内側面に沿って下方に摺動されることにより排出部１０ａに歯磨きＴが排出可能である。
【００３９】
この後、ピストン７０から手を離すと、図３Ｂに示すように圧縮されていたバネ８０は、復元力により図３Ａに示すように引っ張られながらピストン７０が元の位置に戻る。これにより、Ｑ空間には歯磨きＴの排出量に見合う分だけの外部空気が空気通過孔７９を介してＱ空間に充填されることにより、次の加圧動作時に空気圧が形成可能になる。
【００４０】
本発明は上述した実施形態にのみ限定されるものではなく、本発明の思想及び範囲を逸脱しない限り種々に変形可能であることが当業者にとって自明であるといえるが、そのような変形例は本発明の請求範囲に属するものである。
【符号の説明】
【００４１】
１    生活用品用容器
１０  容器本体
２０  容器パッド
３０  栓体
３３  抜け止め爪
５０  空気ポンプ式排出装置
６０  ハウジング
６１  第１シール取付溝
６３  空気排出孔
７０  ピストン
７１  押さえ部
７２  第２シール取付溝
７５  連結杆
７９  空気通過孔
８０  バネ
８１  第１シール部材
８２  第２シール部材
【図１】
2010528949.tif 000003
【図２】
2010528949.tif 000004
【図３】
2010528949.tif 000005
【図４】
2010528949.tif 000006
【図５】
2010528949.tif 000007
【国際調査報告】
2010528949.tif 000008
2010528949.tif 000009